(57)【要約】【課題】ユーザの興味を惹くことができ、かつ、関連データに基づく処理を所望のタイミングで実行させることができるデータ送信システムを提供する。【解決手段】ユーザ端末からの入力信号に基づいて、動画データをサーバからユーザ端末に送信し、当該動画データをユーザ端末の表示画面２３に再生させる（図２（ａ））。これにより、例えば店舗の広告などを動画データとしてユーザ端末の表示画面２３に再生させれば、ユーザの興味を惹くことができる。また、動画データがユーザ端末の表示画面２３に再生されている途中で、表示画面２３に表示される指示ボタン２３１が選択された場合には、ユーザ端末が、当該指示ボタン２３１に対応する関連データに基づく処理を行う（図２（ｂ））。これにより、動画データの再生中であっても、指示ボタン２３１を選択することにより、関連データに基づく処理を所望のタイミングで実行させることができる。【選択図】  図２
2013257842.tif 000002
【特許請求の範囲】
【請求項１】
ユーザ端末からの入力信号に基づいて、前記ユーザ端末に備えられた表示画面に表示するためのデータを、サーバから前記ユーザ端末に送信可能なデータ送信システムであって、
前記サーバは、
複数種類の動画データを記憶可能な動画データ記憶部と、
前記複数種類の動画データに対応付けて、各動画データに関連する関連データを記憶する関連データ記憶部と、
前記ユーザ端末にデータを送信するためのデータ送信部とを備え、
前記動画データには、前記関連データに基づく処理を指示する指示ボタンを前記ユーザ端末の表示画面に表示させるためのボタンデータが対応付けられ、
前記データ送信部は、前記ユーザ端末からの入力信号に基づいて、前記動画データを前記ユーザ端末に送信し、
前記ユーザ端末は、前記動画データが前記表示画面に再生されている途中で、前記ボタンデータに基づいて当該表示画面に表示される前記指示ボタンが選択された場合に、当該指示ボタンに対応する前記関連データに基づく処理を行うことを特徴とするデータ送信システム。
【請求項２】
前記関連データには、各動画データに関連する画像データが含まれており、
前記動画データが前記表示画面に再生されている途中で、前記画像データに対応する前記指示ボタンが選択された場合には、前記ユーザ端末が、前記画像データを前記表示画面に表示させることを特徴とする請求項１に記載のデータ送信システム。
【請求項３】
前記ユーザ端末は、前記画像データを記憶するための画像データ記憶部を備え、
前記動画データが前記ユーザ端末の表示画面に再生されていないときであっても、前記画像データ記憶部から前記画像データを読み出して前記表示画面に表示可能であることを特徴とする請求項２に記載のデータ送信システム。
【請求項４】
前記ユーザ端末は、前記画像データ記憶部に記憶されている複数の前記画像データを並び替えるための画像データ並び替え処理部を備えていることを特徴とする請求項３に記載のデータ送信システム。
【請求項５】
前記関連データには、各動画データに関連する特定の相手方と通信を行うための通信データが含まれており、
前記動画データが前記ユーザ端末の表示画面に再生されている途中で、前記通信データに対応する前記指示ボタンが選択された場合には、前記ユーザ端末が、前記通信データに基づく処理を行うことを特徴とする請求項１〜４のいずれかに記載のデータ送信システム。
【請求項６】
前記関連データには、各動画データに関連する位置データが含まれており、
前記動画データが前記ユーザ端末の表示画面に再生されている途中で、前記位置データに対応する前記指示ボタンが選択された場合には、前記ユーザ端末が、前記位置データに基づく処理を行うことを特徴とする請求項１〜５のいずれかに記載のデータ送信システム。
【請求項７】
前記関連データには、各動画データに関連するＵＲＬデータが含まれており、
前記動画データが前記ユーザ端末の表示画面に再生されている途中で、前記ＵＲＬデータに対応する前記指示ボタンが選択された場合には、前記ユーザ端末が、前記ＵＲＬデータに基づく処理を行うことを特徴とする請求項１〜６のいずれかに記載のデータ送信システム。
【発明の詳細な説明】
【技術分野】
【０００１】
本発明は、ユーザ端末からの入力信号に基づいて、前記ユーザ端末に備えられた表示画面に表示するためのデータを、サーバから前記ユーザ端末に送信可能なデータ送信システムに関するものである。
【背景技術】
【０００２】
例えば携帯電話機などのユーザ端末からの入力信号に基づいて、商品やサービスに関するデータをサーバからユーザ端末に送信するデータ送信システムが知られている（例えば、下記特許文献１参照）。この特許文献１の技術では、広告媒体に印刷されたＱＲコード（登録商標）などの２次元コードを携帯電話機で読み取ることにより、当該２次元コードに含まれる情報に基づいてサーバ（情報センター）にアクセスし、当該サーバからデータを受信することができるようになっている。
【０００３】
このような従来のデータ送信システムでは、２次元コードを読み取ることにより得られるＵＲＬ（Uniform Resource Locator）を用いて、携帯電話機からサーバにインターネット接続し、商品やサービスに関する画像などのデータをダウンロードするのが一般的である。ダウンロードされたデータは、例えば携帯電話機に備えられた記憶部に、ダウンロードされた日時順に記憶される。
【先行技術文献】
【特許文献】
【０００４】
【特許文献１】特開２００２−１１１９０９号公報
【発明の概要】
【発明が解決しようとする課題】
【０００５】
しかしながら、従来のデータ送信システムでは、単に携帯電話機からサーバにインターネット接続して画像などのデータをダウンロードするだけの構成であるため、ユーザにとって単調な作業になりやすいという問題があった。すなわち、画像などのデータをサーバから携帯電話機にダウンロードするまでの過程で、ユーザの興味を惹くことができるような構成が望まれていた。
【０００６】
そこで、本願発明者らは、新規の広告システムとして、携帯電話機などのユーザ端末にサーバから動画データを送信し、当該動画データをユーザ端末の表示画面に再生させるような構成を考えた。例えば、店舗の広告などを動画データとしてユーザ端末の表示画面に再生させた後、その店舗で利用可能なクーポンなどの画像データをダウンロードできるような構成とすれば、画像データをダウンロードするまでの過程で、ユーザの興味を惹くことができる。
【０００７】
一方、ユーザによっては、クーポンなどの画像データを早く入手したい場合もある。このような場合には、店舗の広告などが動画データとして再生されている間、画像データを入手できないという問題が生じてしまう。このような問題は、クーポンなどの画像データに限らず、動画データに関連する他のあらゆるデータ（関連データ）に基づく処理を実行させたい場合に生じる問題である。
【０００８】
本発明は、上記実情に鑑みてなされたものであり、ユーザの興味を惹くことができ、かつ、関連データに基づく処理を所望のタイミングで実行させることができるデータ送信システムを提供することを目的とする。
【課題を解決するための手段】
【０００９】
本発明に係るデータ送信システムは、ユーザ端末からの入力信号に基づいて、前記ユーザ端末に備えられた表示画面に表示するためのデータを、サーバから前記ユーザ端末に送信可能なデータ送信システムであって、前記サーバは、複数種類の動画データを記憶可能な動画データ記憶部と、前記複数種類の動画データに対応付けて、各動画データに関連する関連データを記憶する関連データ記憶部と、前記ユーザ端末にデータを送信するためのデータ送信部とを備え、前記動画データには、前記関連データに基づく処理を指示する指示ボタンを前記ユーザ端末の表示画面に表示させるためのボタンデータが対応付けられ、前記データ送信部は、前記ユーザ端末からの入力信号に基づいて、前記動画データを前記ユーザ端末に送信し、前記ユーザ端末は、前記動画データが前記表示画面に再生されている途中で、前記ボタンデータに基づいて当該表示画面に表示される前記指示ボタンが選択された場合に、当該指示ボタンに対応する前記関連データに基づく処理を行うことを特徴とする。
【００１０】
このような構成によれば、ユーザ端末からの入力信号に基づいて、動画データをサーバからユーザ端末に送信し、当該動画データをユーザ端末の表示画面に再生させることができる。したがって、例えば店舗の広告などを動画データとしてユーザ端末の表示画面に再生させれば、ユーザの興味を惹くことができる。
【００１１】
また、動画データがユーザ端末の表示画面に再生されている途中で、当該表示画面に表示される指示ボタンが選択された場合には、ユーザ端末が、当該指示ボタンに対応する関連データに基づく処理を行う。これにより、動画データの再生中であっても、指示ボタンを選択することにより、関連データに基づく処理を所望のタイミングで実行させることができる。
【００１２】
前記ユーザ端末は、撮像部と、前記撮像部で撮像された画像を前記表示画面に表示させるための表示処理部とを備えていてもよい。この場合、前記表示処理部は、前記撮像部で撮像された画像に特定画像が含まれている場合に、前記表示画面に仮想ボタンを表示させるものであってもよい。前記データ送信部は、前記仮想ボタンが選択された旨を表す前記ユーザ端末からの入力信号に基づいて、前記動画データを前記ユーザ端末に送信するものであってもよい。あるいは、前記データ送信部が、前記ユーザ端末からの入力信号に基づいて、前記動画データを前記ユーザ端末に送信した後、前記仮想ボタンが選択された場合に、前記ユーザ端末が前記動画データを再生するものであってもよい。
【００１３】
このような構成によれば、表示画面に仮想ボタンが表示されるため、従来のような２次元コードを読み取るような構成と比較して、よりユーザの興味を惹くことができる。
【００１４】
前記関連データには、各動画データに関連する画像データが含まれていてもよい。この場合、前記動画データが前記表示画面に再生されている途中で、前記画像データに対応する前記指示ボタンが選択された場合には、前記ユーザ端末が、前記画像データを前記表示画面に表示させてもよい。
【００１５】
このような構成によれば、動画データの再生中であっても、指示ボタンを選択することにより、関連データとしての画像データを所望のタイミングで表示画面に表示させることができる。
【００１６】
前記画像データは、クーポン画像データ、引換券画像データ又は壁紙画像データなどのユーザに特典を付与するための特典画像データであってもよい。これにより、動画データの再生中に、よりユーザの興味を惹くことができる。
【００１７】
前記ユーザ端末は、前記画像データを記憶するための画像データ記憶部を備えていてもよい。この場合、前記動画データが前記ユーザ端末の表示画面に再生されていないときであっても、前記画像データ記憶部から前記画像データを読み出して前記表示画面に表示可能であることが好ましい。
【００１８】
このような構成によれば、関連データとしての画像データを画像データ記憶部に記憶することができる。画像データ記憶部に記憶された画像データは、動画データが再生されていないときでも読み出すことができるため、動画データの内容を十分に確認した上で、所望のタイミングで画像データを読み出すことができる。
【００１９】
前記ユーザ端末は、前記画像データ記憶部に記憶されている複数の前記画像データを並び替えるための画像データ並び替え処理部を備えていてもよい。
【００２０】
このような構成によれば、画像データ記憶部に記憶されている複数の画像データを、所望の順序に並び替えることができるため、ユーザの使い勝手をより向上することができる。
【００２１】
前記関連データには、各動画データに関連する特定の相手方と通信を行うための通信データが含まれていてもよい。この場合、前記動画データが前記ユーザ端末の表示画面に再生されている途中で、前記通信データに対応する前記指示ボタンが選択された場合には、前記ユーザ端末が、前記通信データに基づく処理を行ってもよい。
【００２２】
このような構成によれば、動画データの再生中であっても、指示ボタンを選択することにより、関連データとしての通信データに基づく処理を所望のタイミングで実行させることができる。
【００２３】
前記ユーザ端末は、前記通信データに対応する前記指示ボタンが選択された場合に、当該通信データを用いて通信を行うためのプログラムを起動するものであってもよい。これにより、動画データの再生中であっても、当該動画データに関連する特定の相手方と容易に通信を行うことができるため、ユーザの使い勝手をより向上することができる。前記通信データは、電話番号データ又はメールアドレスデータなどであってもよい。
【００２４】
前記関連データには、各動画データに関連する位置データが含まれていてもよい。この場合、前記動画データが前記ユーザ端末の表示画面に再生されている途中で、前記位置データに対応する前記指示ボタンが選択された場合には、前記ユーザ端末が、前記位置データに基づく処理を行ってもよい。
【００２５】
このような構成によれば、動画データの再生中であっても、指示ボタンを選択することにより、関連データとしての位置データに基づく処理を所望のタイミングで実行させることができる。
【００２６】
前記ユーザ端末は、前記位置データに対応する前記指示ボタンが選択された場合に、当該位置データを用いて前記表示画面に地図を表示させるためのプログラムを起動するものであってもよい。これにより、動画データの再生中であっても、当該動画データに関連する位置データを用いて表示画面に地図を容易に表示することができるため、ユーザの使い勝手をより向上することができる。前記位置データは、緯度経度データなどであってもよい。
【００２７】
前記関連データには、各動画データに関連するＵＲＬデータが含まれていてもよい。この場合、前記動画データが前記ユーザ端末の表示画面に再生されている途中で、前記ＵＲＬデータに対応する前記指示ボタンが選択された場合には、前記ユーザ端末が、前記ＵＲＬデータに基づく処理を行ってもよい。
【００２８】
このような構成によれば、動画データの再生中であっても、指示ボタンを選択することにより、関連データとしてのＵＲＬデータに基づく処理を所望のタイミングで実行させることができる。
【００２９】
前記ユーザ端末は、前記ＵＲＬデータに対応する前記指示ボタンが選択された場合に、当該ＵＲＬデータを用いて前記表示画面にインターネットサイトを表示させるためのプログラムを起動するものであってもよい。これにより、動画データの再生中であっても、当該動画データに関連するＵＲＬデータを用いて表示画面にインターネットサイトを容易に表示することができるため、ユーザの使い勝手をより向上することができる。前記ＵＲＬデータは、各動画データに関連する店舗のインターネットサイト、又は、会員登録のためのインターネットサイトなどに対応するものであってもよい。
【００３０】
本発明に係るデータ送信方法は、ユーザ端末からの入力信号に基づいて、前記ユーザ端末に備えられた表示画面に表示するためのデータを、サーバから前記ユーザ端末に送信可能なデータ送信方法であって、前記サーバが、前記ユーザ端末からの入力信号に基づいて、指示ボタンを前記ユーザ端末の表示画面に表示させるためのボタンデータが対応付けられた動画データを、前記ユーザ端末に送信する動画データ送信ステップと、前記動画データが前記ユーザ端末の表示画面に再生されている途中で、前記ボタンデータに基づいて当該表示画面に表示される前記指示ボタンが選択された場合に、前記ユーザ端末が、前記動画データに関連する関連データに基づく処理を行う関連データ処理ステップとを含むことを特徴とする。
【００３１】
本発明に係るデータ送信プログラムは、ユーザ端末からの入力信号に基づいて、前記ユーザ端末に備えられた表示画面に表示するためのデータを、サーバから前記ユーザ端末に送信可能なデータ送信プログラムであって、前記ユーザ端末からの入力信号に基づいて、指示ボタンを前記ユーザ端末の表示画面に表示させるためのボタンデータが対応付けられた動画データを、前記ユーザ端末に送信する動画データ送信部として前記サーバを機能させることを特徴とする。
【発明の効果】
【００３２】
本発明によれば、ユーザ端末からの入力信号に基づいて、動画データをサーバからユーザ端末に送信し、当該動画データをユーザ端末の表示画面に再生させることにより、ユーザの興味を惹くことができる。また、本発明によれば、動画データの再生中であっても、指示ボタンを選択することにより、関連データに基づく処理を所望のタイミングで実行させることができる。
【図面の簡単な説明】
【００３３】
【図１】本発明の一実施形態に係るデータ送信システムの構成例を示したブロック図である。
【図２】ユーザ端末の表示画面における表示例を示した図であり、（ａ）は表示画面に動画データが再生されている状態、（ｂ）は表示画面において関連データに基づく処理が行われている状態を示している。
【図３】ユーザ端末の制御部による処理の一例を示したフローチャートである。
【発明を実施するための形態】
【００３４】
図１は、本発明の一実施形態に係るデータ送信システムの構成例を示したブロック図である。このデータ送信システムでは、サーバ１が、インターネットなどの通信網Ｎを介して、複数のユーザ端末２と通信できるようになっている。ユーザ端末２は、例えば携帯電話機などの携帯端末の他、パーソナルコンピュータなどの各種装置により構成することができる。サーバ１及びユーザ端末２がそれぞれ行う通信は、無線通信であってもよいし、有線通信であってもよい。
【００３５】
サーバ１には、例えば制御部１１及び記憶部１２などが備えられている。制御部１１は、例えばＣＰＵ（Central Processing Unit）を含む構成であり、プログラムを実行することにより、通信部１１１などの各種機能部として機能する。記憶部１２は、例えばＲＡＭ（Random Access Memory）やＲＯＭ（Read Only Memory）などの各種メモリにより構成することができる。
【００３６】
記憶部１２には、動作指示データ１２０、動画データ１２１及び画像データ１２２などが記憶されている。動作指示データ１２０は、例えばＸＭＬ（Extensible Markup Language）形式のデータからなり、動画読出用データ１２０ａ、ボタン表示用データ１２０ｂ及び動作データ１２０ｃの他、通信データ１２３、位置データ１２４及びＵＲＬデータ１２５などが含まれる。
【００３７】
動画データ１２１は、例えば店舗の広告などを表示するために予め撮影及び編集され、記憶部１２に記憶される。画像データ１２２、通信データ１２３、位置データ１２４及びＵＲＬデータ１２５は、動画データ１２１に関連する関連データの一例であり、当該関連データは、これらのデータに限られるものではない。
【００３８】
記憶部１２には、複数種類の動画データ１２１を関連データ１２２〜１２５に対応付けて記憶することができるようになっている。すなわち、記憶部１２は、複数種類の動画データ１２１を記憶可能な動画データ記憶部、及び、複数種類の動画データ１２１に対応付けて、各動画データ１２１に関連する関連データ１２２〜１２５を記憶する関連データ記憶部として機能するようになっている。
【００３９】
通信部１１１は、ユーザ端末２にデータを送信するためのデータ送信部を構成している。この通信部１１１は、動画データ１２１をユーザ端末２に送信する動画データ送信部として機能する。
【００４０】
ユーザ端末２には、例えば制御部２１、記憶部２２、表示画面２３、操作部２４及び撮像部２５などが備えられている。制御部２１は、例えばＣＰＵを含む構成であり、プログラムを実行することにより、通信部２１１及びデータ処理部２１２などの各種機能部として機能する。記憶部２２は、例えばＲＡＭやＲＯＭなどの各種メモリにより構成することができる。この記憶部２２には、本実施形態に係るデータ送信システムを利用するためのアプリケーションソフトを記憶することができる。
【００４１】
表示画面２３は、例えば液晶表示器などにより構成することができる。操作部２４は、例えば押操作可能なキーにより構成されるものであってもよいし、タッチパネルとして表示画面２３に設けられた構成などであってもよい。撮像部２５は、例えばＣＣＤ（Charge Coupled Devices）イメージセンサなどにより構成され、撮像部２５で撮像された画像を表示画面２３に表示させることができるようになっている。
【００４２】
通信部２１１は、サーバ１からのデータを受信するためのデータ受信部を構成している。データ処理部２１２は、例えば記憶部２２に記憶されているデータに対する処理や、表示画面２３に表示させるデータに対する処理などを行うことができる。
【００４３】
本実施形態に係るデータ送信システムでは、ユーザ端末２からの入力信号に基づいて、ユーザ端末２の表示画面２３に表示するためのデータを、サーバ１からユーザ端末２に送信可能となっている。具体的には、サーバ１の通信部１１１が、ユーザ端末２からの入力信号に基づいて、動画データ１２１をユーザ端末２に送信する。これにより、動画データ１２１を受信したユーザ端末２の表示画面２３に動画データ１２１が再生されるようになっている。
【００４４】
本実施形態において、サーバ１の記憶部１２に記憶されている動画データ１２１には、関連データ１２２〜１２５に基づく処理を指示する指示ボタンをユーザ端末２の表示画面２３に表示させるためのデータ（ボタンデータ１２１ａ）が対応付けられており、当該ボタンデータ１２１ａが記憶部１２に記憶されている。このボタンデータ１２１ａは、指示ボタンの画像データであり、ボタン表示用データ１２０ｂを介して動画データ１２１に対応付けられている。これにより、ユーザ端末２の表示画面２３に動画データ１２１が再生されているときに、指示ボタンが表示画面２３に表示されるようになっている。
【００４５】
ユーザは、ユーザ端末２の操作部２４を操作することにより、表示画面２３に表示されている指示ボタンを選択することができる。動画データ１２１が表示画面２３に再生されている途中で、表示画面２３に表示されている指示ボタンが選択された場合には、当該指示ボタンに対応する関連データ１２２〜１２５に基づく処理が行われるようになっている。
【００４６】
図２は、ユーザ端末２の表示画面２３における表示例を示した図であり、（ａ）は表示画面２３に動画データ１２１が再生されている状態、（ｂ）は表示画面２３において関連データ１２２〜１２５に基づく処理が行われている状態を示している。
【００４７】
図２（ａ）に示すように、動画データ１２１が表示画面２３に再生されているときには、表示画面２３に１つ又は複数の指示ボタン２３１が表示される。この例では、表示画面２３における３つの角部に指示ボタン２３１が表示されているが、このような構成に限らず、図２（ａ）に破線で示すように、他のあらゆる位置に指示ボタン２３１を表示させることが可能である。動画データ１２１や関連データ１２２〜１２５の内容、及び、指示ボタン２３１の配置態様などについては、店舗等の依頼主（例えば広告主）との間で予め決定され、サーバ１の記憶部１２に記憶される。
【００４８】
動画データ１２１の再生中には、図２（ａ）に示すように、再生態様に関する指示及び表示を行うためのコントロール領域２３２が表示画面２３に表示されてもよい。この場合、コントロール領域２３２には、再生を停止、早送り又は巻き戻しするための各ボタンや、再生時間を示すバーなどが含まれていてもよい。
【００４９】
図２（ａ）のように動画データ１２１が表示画面２３に再生されている途中で、いずれかの指示ボタン２３１が選択された場合には、その指示ボタン２３１に対応する関連データ１２２〜１２５に基づく処理が行われることにより、図２（ｂ）に示すように、表示画面２３の表示内容が切り替わる。この画面には、例えば戻るボタン２３３が含まれ、当該戻るボタン２３３を選択することにより、図２（ａ）の画面に戻ることができるようになっている。
【００５０】
この場合、図２（ａ）の画面で指示ボタン２３１が選択されたときに、動画データ１２１の再生が一旦停止され、図２（ｂ）の画面で戻るボタン２３３が選択された場合には、停止されたところから動画データ１２１が再び開始されるような構成であることが好ましい。これにより、動画データ１２１の再生の途中で関連データ１２２〜１２５に基づいて表示画面２３の表示内容が切り替わった場合であっても、動画データ１２１を全て見ることが可能になる。ただし、このような構成に限らず、関連データ１２２〜１２５に基づいて表示画面２３の表示内容が切り替わっている最中も、動画データ１２１が再生され続けるような構成であってもよい。また、サーバ１内の動画データ１２１にアクセスするためのデータが、ブックマークとしてユーザ端末２に保存されるような構成であってもよい。
【００５１】
以上のように、本実施形態では、ユーザ端末２からの入力信号に基づいて、動画データ１２１をサーバ１からユーザ端末２に送信し、当該動画データ１２１をユーザ端末２の表示画面２３に再生させることができる。したがって、例えば店舗の広告などを動画データ１２１としてユーザ端末２の表示画面２３に再生させれば、ユーザの興味を惹くことができる。
【００５２】
また、動画データ１２１がユーザ端末２の表示画面２３に再生されている途中で、当該表示画面２３に表示される指示ボタン２３１が選択された場合には、ユーザ端末２が、当該指示ボタン２３１に対応する関連データ１２２〜１２５に基づく処理を行う。これにより、動画データ１２１の再生中であっても、指示ボタン２３１を選択することにより、関連データ１２２〜１２５に基づく処理を所望のタイミングで実行させることができる。
【００５３】
この例では、ユーザ端末２からの入力信号に基づいて、動画データ１２１がユーザ端末２に送信される際に、動画データ１２１だけでなく、動作指示データ１２０、ボタンデータ１２１ａ及び画像データ１２２などもユーザ端末２に送信されるようになっている。動画データ１２１、ボタンデータ１２１ａ及び画像データ１２２は、コンテンツデータを構成している。
【００５４】
動作指示データ１２０に含まれる動画読出用データ１２０ａは、動画データ１２１を読み出すためのデータであり、例えば動画データ１２１のＵＲＬやファイル名などに関するデータが含まれていてもよい。ボタン表示用データ１２０ｂは、ボタンデータ１２１ａに基づいて表示画面２３に指示ボタン２３１を表示させるためのデータであり、例えばボタンデータ１２１ａのファイル名や表示画面２３における表示位置などに関するデータが含まれていてもよい。動作データ１２０ｃは、指示ボタン２３１が選択された場合の動作内容に関するデータである。
【００５５】
以下では、関連データ１２２〜１２５について具体的に説明する。まず、関連データが、動画データ１２１に関連する画像データ１２２である場合、当該画像データ１２２は、クーポン画像データ、引換券画像データ又は壁紙画像データなどのユーザに特典を付与するための特典画像データであってもよい。この場合、動画データ１２１がユーザ端末２の表示画面２３に再生されている途中で、画像データ１２２に対応する指示ボタン２３１を選択することにより、特典画像データなどの画像データ１２２を所望のタイミングで表示画面２３に表示させることができる。
【００５６】
画像データ１２２としてクーポン画像データを入手したユーザは、例えば当該クーポン画像データを店舗で店員に提示することで割引サービスを受けることができる。画像データ１２２として引換券画像データを入手したユーザは、例えば当該引換券画像データを店舗で店員に提示することでプレゼントを受け取ることができる。画像データ１２２として壁紙画像データを入手したユーザは、例えば当該壁紙画像データを表示画面２３の待受画面に表示させることができる。
【００５７】
表示画面２３に表示される画像データ１２２は、ユーザ端末２の記憶部２２に記憶することができる。この場合、記憶部２２は、画像データ１２２を記憶するための画像データ記憶部として機能する。画像データ１２２は、図２（ａ）に示すような動画データ１２１の再生中に、指示ボタン２３１が選択されたことに応答して記憶部２２に記憶されるような構成であってもよいし、図２（ｂ）に示すような画像データ１２２の表示中に、ユーザ端末２の操作に応答して記憶部２２に記憶されるような構成であってもよい。
【００５８】
この場合、動画データ１２１がユーザ端末２の表示画面２３に再生されていないときであっても、記憶部２２から画像データ１２２を読み出して表示画面２３に表示可能であることが好ましい。これにより、動画データ１２１の内容を十分に確認した上で、所望のタイミングで画像データ１２２を読み出すことができる。
【００５９】
また、記憶部２２に記憶されている複数の画像データ１２２は、並び替え可能であることが好ましい。この場合、データ処理部２１２が、記憶部２２に記憶されている複数の画像データ１２２を並び替えるための画像データ並び替え処理部として機能する。これにより、記憶部２２に記憶されている複数の画像データ１２２を、所望の順序に並び替えることができるため、ユーザの使い勝手をより向上することができる。
【００６０】
例えば、画像データ１２２が前記特典画像データである場合、当該特典画像データの有効期間又は使用可能回数などに基づいて、並び替えが行われてもよい。画像データ１２２の並び替えは、ユーザ端末２の操作に応答して行われるような構成であってもよいし、自動で行われるような構成であってもよい。
【００６１】
次に、関連データが、動画データ１２１に関連する特定の相手方と通信を行うための通信データ１２３である場合、当該通信データ１２３は、電話番号データ又はメールアドレスデータなどであってもよい。この場合、動画データ１２１がユーザ端末２の表示画面２３に再生されている途中で、通信データ１２３に対応する指示ボタン２３１を選択することにより、電話番号データ又はメールアドレスデータなどの通信データ１２３に基づく処理を所望のタイミングで実行させることができる。
【００６２】
通信データ１２３に基づく処理を実行させることにより、ユーザは、動画データ１２１に関連する特定の相手方（例えば、店舗など）に連絡をとったり、予約や購入などを行なったりすることができる。ユーザ端末２は、通信データ１２３に対応する指示ボタン２３１が選択された場合に、当該通信データ１２３を用いて通信を行うためのプログラムを起動するものであってもよい。すなわち、電話をかけるためのプログラムや、電子メールを送信するためのプログラムが起動されてもよい。これにより、動画データ１２１の再生中であっても、当該動画データ１２１に関連する特定の相手方と容易に通信を行うことができるため、ユーザの使い勝手をより向上することができる。
【００６３】
関連データが、動画データ１２１に関連する位置データ１２４である場合、当該位置データ１２４は、緯度経度データなどであってもよい。この場合、動画データ１２１がユーザ端末２の表示画面２３に再生されている途中で、位置データ１２４に対応する指示ボタン２３１を選択することにより、緯度経度データなどの位置データ１２４に基づく処理を所望のタイミングで実行させることができる。
【００６４】
位置データ１２４に基づく処理を実行させることにより、ユーザは、動画データ１２１に関連する位置（例えば、店舗の位置など）を確認することができる。ユーザ端末２は、位置データ１２４に対応する指示ボタン２３１が選択された場合に、当該位置データ１２４を用いて表示画面２３に地図を表示させるためのプログラムを起動するものであってもよい。これにより、動画データ１２１の再生中であっても、当該動画データ１２１に関連する位置データ１２４を用いて表示画面２３に地図を容易に表示することができるため、ユーザの使い勝手をより向上することができる。
【００６５】
この場合、ユーザ端末２に備えられたＧＰＳ（Global Positioning System）機能を用いて、ユーザの現在地が地図に表示されるような構成であってもよい。また、ユーザの現在地から、位置データ１２４に基づいて地図に表示される目的地までの経路などが、地図に表示されるような構成とすることも可能である。
【００６６】
関連データが、動画データ１２１に関連するＵＲＬデータ１２５である場合、当該ＵＲＬデータ１２５は、動画データ１２１に関連する店舗のインターネットサイト、又は、会員登録のためのインターネットサイトなどに対応するものであってもよい。この場合、動画データ１２１がユーザ端末２の表示画面２３に再生されている途中で、ＵＲＬデータ１２５に対応する指示ボタン２３１を選択することにより、前記インターネットサイトなどに対応するＵＲＬデータ１２５に基づく処理を所望のタイミングで実行させることができる。
【００６７】
ＵＲＬデータ１２５に基づく処理を実行させることにより、ユーザは、インターネットサイトに掲載されている情報（例えば、店舗の情報など）を確認したり、インターネットサイトを介した手続（例えば、会員登録手続など）を行なったりすることができる。ユーザ端末２は、ＵＲＬデータ１２５に対応する指示ボタン２３１が選択された場合に、当該ＵＲＬデータ１２５を用いて表示画面２３にインターネットサイトを表示させるためのプログラムを起動するものであってもよい。これにより、動画データ１２１の再生中であっても、当該動画データ１２１に関連するＵＲＬデータ１２５を用いて表示画面２３にインターネットサイトを容易に表示することができるため、ユーザの使い勝手をより向上することができる。
【００６８】
図３は、ユーザ端末２の制御部２１による処理の一例を示したフローチャートである。本実施形態では、ユーザ端末２の表示画面２３に動画データ１２１を再生させるために、例えば雑誌などに印刷されている画像を撮像部２５で撮像する。このとき、ユーザ端末２のデータ処理部２１２は、撮像部２５で撮像された画像を表示画面２３に表示させるための表示処理部として機能する。
【００６９】
動画データ１２１の送信をサーバ１に指示する指示信号は、例えば表示画面２３に表示されるボタンが選択されるのに応答して、ユーザ端末２からサーバ１に送信される。この例では、ＡＲ（Augmented Reality）と呼ばれる技術を用いて、表示画面２３に仮想ボタンが表示される。すなわち、撮像部２５で撮像された現実の画像上に、仮想ボタンが表示されるようになっている。
【００７０】
前記仮想ボタンは、撮像部２５で撮像された画像にマーカ（特定画像）が含まれている場合に（ステップＳ２０１でＹｅｓ）、表示画面２３に表示される（ステップＳ２０２）。したがって、例えば雑誌などに印刷された画像中にマーカを設けておけば、当該画像を撮像部２５で撮像したユーザ端末２の表示画面２３に、当該画像（雑誌などに印刷された現実の画像）と一体的に仮想ボタンを表示させることができる。マーカは、シャッター操作を行うことなく認識されることが好ましいが、これに限らず、シャッター操作により認識されるような構成であってもよい。
【００７１】
ユーザ端末２の表示画面２３に表示されている仮想ボタンが選択された場合には（ステップＳ２０３でＹｅｓ）、その旨を表す信号がユーザ端末２からサーバ１に送信されることにより、データの送信がサーバ１に指示される（ステップＳ２０４）。ただし、サーバ１に対するデータの送信指示は、仮想ボタンによる構成に限らず、他のあらゆる構成を採用することができる。例えば、ユーザ端末２に備えられたＧＰＳ機能を用いて、ユーザ端末２が特定の位置に存在するときに、データの送信がサーバ１に指示されるような構成であってもよい。
【００７２】
本実施形態では、ユーザ端末２からのデータ送信指示に基づいて、サーバ１は、動画データ１２１だけでなく、動作指示データ１２０やコンテンツデータ（ボタンデータ１２１ａ及び画像データ１２２など）もユーザ端末２に送信するようになっている。その後、ユーザ端末２は、受信した動作指示データ１２０を用いて、動画データ１２１の再生や、関連データ１２２〜１２５に基づく処理を行うこととなる。ただし、ボタンデータ１２１ａ及び関連データ１２２〜１２５の少なくとも１つが、動画データ１２１とは別にユーザ端末２に送信されるような構成であってもよい。また、動作指示データ１２０やコンテンツデータ（ボタンデータ１２１ａ及び画像データ１２２など）が、区別されないような構成であってもよい。
【００７３】
ユーザ端末２からの送信指示に基づいて、動画データ１２１などのデータがサーバ１からユーザ端末２に送信され、当該データをユーザ端末２が受信した場合には（ステップＳ２０５でＹｅｓ）、動画データ１２１が表示画面２３に再生される（ステップＳ２０６）。動画データ１２１は、いわゆるストリーミングにより、ユーザ端末２で受信しながら再生されるような構成であってもよいし、一括でダウンロードした後に再生されるような構成であってもよい。
【００７４】
動画データ１２１の再生中に、指示ボタン２３１が選択された場合には（ステップＳ２０７でＹｅｓ）、当該指示ボタン２３１に対応する関連データ１２２〜１２５に基づく処理が行われる（ステップＳ２０８）。ステップＳ２０７及びＳ２０８の処理は、動画データ１２１の再生が終了するまで（ステップＳ２０９でＹｅｓとなるまで）実行される。
【００７５】
ただし、上記のように、仮想ボタンが選択された旨を表すユーザ端末２からの入力信号に基づいて、サーバ１が動画データ１２１をユーザ端末２に送信するような構成に限られるものではない。例えば、ユーザ端末２からの入力信号に基づいて、サーバ１が動画データ１２１をユーザ端末２に送信した後、仮想ボタンが選択された場合に、ユーザ端末２が動画データ１２１を再生するものであってもよい。
【００７６】
具体的には、本実施形態に係るデータ送信システムを利用するためのアプリケーションソフトを起動させたときに、その旨のユーザ端末２からの入力信号に基づいて、サーバ１が動画データ１２１をユーザ端末２に送信するような構成であってもよい。あるいは、前記アプリケーションソフトが起動された後、マーカを含む画像を撮像するために撮像部２５が起動されたときなどのように、任意のアクションが行われるときに、その旨のユーザ端末２からの入力信号に基づいて、サーバ１が動画データ１２１をユーザ端末２に送信するような構成であってもよい。マーカを認識するための画像データや仮想ボタンのデータ（例えば３Ｄデータ）は、例えば動作指示データ１２０などとともに、予めサーバ１からユーザ端末２に送信されるような構成であってもよい。
【００７７】
以上の実施形態では、サーバ１及びユーザ端末２を含むデータ送信システムについて説明したが、当該データ送信システムに適用可能な装置として、サーバ１又はユーザ端末２を個別に提供することも可能である。また、サーバ１及びユーザ端末２を用いてデータを送信するデータ送信方法、あるいは、サーバ１又はユーザ端末２を前記データ送信システムに適用可能な装置として機能させるためのプログラムなどを提供することも可能である。前記プログラムは、記憶媒体に記憶した状態で提供されてもよいし、プログラム自体が提供されてもよい。
【符号の説明】
【００７８】
１    サーバ
２    ユーザ端末
１１    制御部
１２    記憶部
２１    制御部
２２    記憶部
２３    表示画面
２４    操作部
２５    撮像部
１１１    通信部
１２０    動作指示データ
１２１    動画データ
１２１ａ  ボタンデータ
１２２    画像データ
１２３    通信データ
１２４    位置データ
１２５    ＵＲＬデータ
２１１    通信部
２１２    データ処理部
２３１    指示ボタン
【図１】
2013257842.tif 000003
【図２】
2013257842.tif 000004
【図３】
2013257842.tif 000005